(57)【要約】      （修正有）【課題】簡単な操作で、支柱などの相手部材へのロック・解除（昇降）を確実に行うことができ、さらには構造が複雑でなく、部品点数が少なく済むフック装置を提供する。【解決手段】装置本体２は、中空のケース本体２ａと、このケース本体２ａの一端部に設けられるヘッド係止部２ｂと、前記ケース本体２ａの全体をカバーするケースカバー２ｃとで構成されている。前記ケース本体２ａは、前記装置本体２を、前記支柱に沿って上下動させるための貫通孔１３ａが上下方向に形成されるとともに、前記ケースカバー２ｃにも、前記貫通孔１３ａと相対する貫通孔１３ｂが形成されている。なお、前記支柱については、その素材については特に制限はなく、ステンレス製パイプなどが好適に使用される。前記ヘッド係止部２ｂには、シャワーヘッドを係止するための、開口部１４ａを有する円弧状の係止部１４が上下方向に形成されている。【選択図】図４
0003191956.tif 000002
【実用新案登録請求の範囲】
【請求項１】
被係止物を脱着可能に係着する係止部および支柱を貫通させる貫通孔を有する中空の装置本体と、前記装置本体内に前記支柱の軸方向に対して所定の角度で傾斜させて配設される弾性部材と、前記弾性部材の伸縮に伴い摺動する摺動部材とを備え、
前記摺動部材は、
内蔵する前記弾性部材の付勢力によって、その頂部が常時装置本体上に突出して押しボタンを形成するか、又はその頂部と一体的に連結した押しボタンが常時装置本体上に突出するよう構成されるか、あるいは
内蔵する前記弾性部材の付勢力によって、常時装置本体内の上部に位置し、装置本体の長手方向端部から差し込まれた押しボタンと連結される
とともに、前記支柱との間の摩擦力が増大する方向に摺動し、
前記押しボタンを所定の方向に押圧することによって、前記摺動部材が前記支柱から離れて、前記支柱との間の摩擦力が減少するか、又はなくなる方向に摺動するよう構成されていること
を特徴とするフック装置。
【請求項２】
前記摺動部材は、
前記装置本体内に、前記弾性部材の傾斜角度と同じ角度で傾斜させた傾斜面と、前記支柱との間に設けられていること
を特徴とする請求項１に記載のフック装置。
【請求項３】
前記装置本体は、
相対する側壁面に、前記弾性部材の傾斜角度と同じ角度で係止片が付設され、前記摺動部材には、前記係止片と係合するガイド溝が形成され、このガイド溝に沿って前記摺動部材がスライドするよう構成されていること
を特徴とする請求項１又は２に記載のフック装置。
【請求項４】
前記摺動部本体及び／又は支柱は、
前記弾性部材によって、前記摺動部が前記支柱に圧接されて摩擦力を生じる手段を備えること
を特徴とする請求項１〜３のいずれかに記載のフック装置。
【請求項５】
前記摺動部は、
前記支柱に圧接する部分において、圧接部材を備えること
を特徴とする請求項１〜３のいずれかに記載のフック装置。
【請求項６】
前記弾性部材は、
圧縮コイルばねであること
を特徴とする請求項１〜５のいずれかに記載のフック装置
【請求項７】
前記被係止物は、
シャワー装置のシャワーヘッドであること
を特徴とする請求項１〜６のいずれかに記載のフック装置。
【考案の詳細な説明】
【技術分野】
【０００１】
この考案は、シャワー装置のフック装置に関するもので、より詳しくは、シャワーヘッドなどの係止物ないし係止部を支持するためのフック装置に関するものである。
【背景技術】
【０００２】
従来から、浴室などに設けられたシャワー装置を構成するシャワーヘッドの側部分を、着脱可能に支持するためのシャワー用フック装置が設けられている。
このようなフック装置の一例が、特許文献１〜６に開示されている。
【０００３】
特許文献１（特開２００２−１０６５２３号公報）におけるスライドロック装置は、全体が相手部材の長手方向に沿って移動可能に構成され、弾性部材によって付勢されたストッパが、相手部材との間で摩擦力を発生してスライドをロックするものである。
【０００４】
このスライドロック装置は、図１に示されるように、相手部材へのロック（固定）を、スライドに取付けられた球体状のストッパの摩擦力によって行い、解除を操作部材のスライドによって行うものである。
【０００５】
特許文献２（特開２００５−１８０４９１号公報）におけるスライドロック装置は、軸状の相手部材とベースとの間にロック駒が圧接状態で挟まれることによって、相手部材とベースとの相対移動がロック駒の摩擦力によってロックされ、相手部材の一方向への相対移動によって、前記摩擦力が増大してロック駒が回転し、反対方向への相対移動によって、摩擦力低減方向にロック駒を移動可能としたものである。
【０００６】
このスライドロック装置は、図１に示されるように、ロック駒の摩擦力によって、相手部材へのロック・解除を行うものである。
【０００７】
特許文献３（特開２０１３−１９１５２号公報）におけるシャワーノズル受け装置は、
１）シャワーノズル受け装置本体と、
２）このシャワーノズル受け装置本体に支持される、一方の丸支柱抱着部材と、
３）この一方の丸支柱抱着部材に結合され、一方の丸支柱抱着部材との間で丸支柱を抱着する、他方の丸支柱抱着部材と、
４）前記シャワーノズル受け装置本体に、前記丸支柱抱着部材の支持部とは、反対側に支持されるシャワーノズル受け部材と、
５）前記一方の丸支柱抱着部材に、ばねにより上向きに付勢されるように取り付けられた上下動部材と、
６）前記一方の丸支柱抱着部材に取り付けられ、前記丸支柱の外面に対向する面が凸状で丸支柱と同径の円弧状の面となっており、側面が前記丸支柱から遠ざかるように下方に窄まっている規制部材と、
７）前記上下動部材に、前記規制部材と丸支柱との間で水平方向に微動可能に支持され、前記丸支柱および規制部材の円弧状の面と同径の円弧状の面を備えた鼓形ローラーと、
８）前記シャワーノズル受け装置本体上面から突出するように設けられ、前記上下動部材の上端に接して、上下動部材および鼓形ローラーを、前記ばね力に抗して押し下げる操作ボタンと
を備え、
９）ばね付勢された鼓形ローラーが、規制部材の上部に位置している状態において、鼓形ローラーが規制部材と丸支柱に圧接して、シャワーノズル受け装置本体の下方への動きが止められるように構成されている。
【０００８】
このシャワーノズル受け装置は、図１〜３に示すように、上下動部材に取り付けられた鼓形ローラーを、規制部材により丸支柱に圧接させることによって、丸支柱へのロックを行い、ボタン操作により上下動部材を下げ、鼓形ローラーを丸支柱２から離すことによって、ロックを解除するものである。
【０００９】
特許文献４（特許第３８５８１８０号公報）における軸スライドロック装置は、
１）有底筒状のケース本体及びその開口に着脱可能に装着されたケースカバーより成り、中心に軸が貫通するケースと、
２）このケースに軸方向摺動可能に内挿され、軸心に円錐台状の空間によるテーパー面が形成され、ケース内の一端側のストッパ部で停止するテーパーリングと、
３）このテーパーリングのテーパー面に嵌合し、軸心に前記軸が貫通する孔が突設され、軸心方向に放射状に複数に分割された摩擦駒と、
４）前記ケース本体の一端内側と、前記摩擦駒との間に配設された駒スプリングと、
５）前記ケースカバー内側とテーパーリングとの間に配設された、バックアップスプリングとを具備し、
前記ケースカバーは、軸孔に沿ったリング部が、摩擦駒にその移動端で当接する位置に突出していると共に、バックアップスプリングの弾発力が駒スプリングの弾発力より大きいことを特徴とするものである。
【００１０】
この軸スライドロック装置は、摩擦駒１の摩擦力によって軸７へのロック・解除を行うものである（図１及び３）。
【００１１】
特許文献５（特許第４６７８６２２号公報）においては、
１）相手部材が貫通した状態で、相手部材に対して昇降可能なケースと、
２）相手部材の長手方向に対して、斜め方向となってケースに形成された傾斜面及び相手部材と傾斜面との間に配置されて、相手部材と接触する少なくとも一つのロック駒を有し、相手部材に対するケースの昇降に伴って、ロック駒が前記傾斜面に沿って相対的にスライドすることにより、ロック駒の相手部材への摩擦力を増減させる楔機構と、
３）前記摩擦力の増大方向にロック駒が、スライドするように付勢する弾性体と、
４）前記弾性体及びロック駒を連結して、弾性体の付勢力をロック駒に伝達するとともに、前記摩擦力が減少する方向へのロック駒の、スライドを行うために操作される操作レバーと、を備えたスライドロック装置が提案されている。
【００１２】
このスライドロック装置は、操作レバーに連結されているロック駒と、相手部材との間の摩擦力の増減によって、相手部材へのロック・解除を行うもので、このロック・解除を操作レバーの操作によって行うものである（図４及び５）。
【００１３】
特許文献６（特許第４８８４２５０号公報）におけるスライドシャワーフック装置は、シャワーヘッドを脱着可能に掛止して保持するフック部、及びスライドバーに摺動可能に嵌合する嵌合部を備え、該スライドバーに上下方向にスライド移動可能に組み付けられるスライドシャワーフックに、該スライドシャワーフックを該スライドバーに対して上下の所定位置に固定する、ロック解除が可能なロック機構を設けて成るスライドシャワーフック装置において、
前記ロック機構として、
ロック状態で前記スライドシャワーフックを、前記スライドバーに対し下向きに移動不能にロックし、上向きには移動可能とする下方向ロック機構と、
ロック状態で該スライドシャワーフックを、該スライドバーに対して上向きに移動不能にロックし、下方向には移動可能とする上方向ロック機構とを設け、
それら下方向ロック機構と上方向ロック機構との各ロック作用により、前記スライドシャワーフックを前記スライドバーに対し、上下の何れの方向にも固定するようになしたことを特徴とするものである。
【００１４】
このスライドシャワーフック装置は、図３で明らかなように、押ボタン式のロック解除操作部を操作し、解除部材を水平方向へ移動させることによって、スライドバーへの固定・解除を行うものである。
【先行技術文献】
【特許文献】
【００１５】
【特許文献１】特開２００２−１０６５２３号公報（特許請求の範囲，図１）
【特許文献２】特開２００５−１８０４９１号公報（特許請求の範囲，図１）
【特許文献３】特開２０１３−１９１５２号公報（特許請求の範囲，図１〜３）
【特許文献４】特許第３８５８１８０号公報（特許請求の範囲，図１及び３）
【特許文献５】特許第４６７８６２２号公報（特許請求の範囲，図４及び５）
【特許文献６】特許第４８８４２５０号公報（特許請求の範囲，図３）
【考案の概要】
【考案が解決しようとする課題】
【００１６】
特許文献１に開示されているスライドロック装置は、球体状のストッパの相手部材との点接触によって、相手部材へのロックを行うものであるため、摩擦力の増減によってロック・解除を行うものとは云えない。
【００１７】
特許文献２及び４に開示されているスライドロック装置は、ロック駒ないし摩擦駒の摩擦力によって、相手部材ないし軸へのロック・解除を行うものである。
その操作は、相手部材ないし軸の移動によって行うものである。
これらのスライドロック装置では、相手部材ないし軸の下方向への移動は、ロック駒ないし摩擦駒の摩擦力の増大によって不能とされているが、上方向への移動に対しては、ロックが行われないため、相手部材ないし軸が上向きの力で簡単に上方に移動してしまうおそれがあるので、使い勝手の点で問題があった。
【００１８】
特許文献３に開示されているシャワーノズル受け装置は、鼓形ローラーの丸支柱への線接触によってロックを行う構造のもので、摩擦力の増減によって、丸支柱へのロック・解除を行うものではない。
【００１９】
さらに、前記特許文献５に開示されているスライドロック装置、及び上記特許文献６に開示されているスライドシャワーフック装置は、レバーないしボタン操作によって相手部材へのロック・解除を行うもので、その操作性においては改善されているが、構造が複雑でかつ部品点数も多い。
【００２０】
この考案はかかる現状に鑑み、簡単な操作で、支柱などの相手部材へのロック・解除（昇降）を確実に行うことができ、さらには構造が複雑でなく、部品点数が少なく済むフック装置、特にシャワーヘッド用フック装置を提供せんとするものである。
【課題を解決するための手段】
【００２１】
前記目的を達成するため、この考案にかかる請求項１に記載の考案は、
被係止物を脱着可能に係着する係止部および支柱を貫通させる貫通孔を有する中空の装置本体と、前記装置本体内に前記支柱の軸方向に対して所定の角度で傾斜させて配設される弾性部材と、前記弾性部材の伸縮に伴い摺動する摺動部材とを備え、
前記摺動部材は、
内蔵する前記弾性部材の付勢力によって、その頂部が常時装置本体上に突出して押しボタンを形成するか、又はその頂部と一体的に連結した押しボタンが常時装置本体上に突出するよう構成されるか、あるいは
内蔵する前記弾性部材の付勢力によって、常時装置本体内の上部に位置し、装置本体の長手方向端部から差し込まれた押しボタンと連結される
とともに、前記支柱との間の摩擦力が増大する方向に摺動し、
前記押しボタンを所定の方向に押圧することによって、前記摺動部材が前記支柱から離れて、前記支柱との間の摩擦力が減少するか、又はなくなる方向に摺動するよう構成されていること
を特徴とするフック装置である。
【００２２】
この考案の請求項２に記載の考案は、
請求項１に記載のフック装置において、
前記摺動部材は、
前記装置本体内に、前記弾性部材の傾斜角度と同じ角度で傾斜させた傾斜面と、前記支柱との間に設けられていること
を特徴とするものである。
【００２３】
この考案の請求項３に記載の考案は、
請求項１又は２に記載のフック装置において、
前記装置本体は、
相対する側壁面に、前記弾性部材の傾斜角度と同じ角度で係止片が付設され、前記摺動部材には、前記係止片と係合するガイド溝が形成され、このガイド溝に沿って前記摺動部材がスライドするよう構成されていること
を特徴とするものである。
【００２４】
この考案の請求項４に記載の考案は、
請求項１〜３のいずれかに記載のフック装置において、
前記摺動部本体及び／又は支柱は、
前記弾性部材によって、前記摺動部が前記支柱に圧接されて摩擦力を生じる手段を備えること
を特徴とするものである。
【００２５】
この考案の請求項５に記載の考案は、
請求項１〜３のいずれかに記載のフック装置において、
前記摺動部は、
前記支柱に圧接する部分において、圧接部材を備えること
を特徴とするものである。
【００２６】
この考案の請求項６に記載の考案は、
請求項１〜５のいずれかに記載のフック装置において、
前記弾性部材は、
圧縮コイルばねであること
を特徴とするものである。
【００２７】
この考案の請求項７に記載の考案は、
請求項１〜６のいずれかに記載のフック装置において、
前記被係止物は、
シャワー装置のシャワーヘッドであること
を特徴とするものである。
【考案の効果】
【００２８】
この考案のフック装置は、装置本体の内部に形成された空間内に、支柱の軸方向に対して所定角度で傾斜配設された弾性部材の伸縮に伴い摺動する摺動部を、押しボタン操作によって、支柱との間の摩擦力が増加又は減少する方向に摺動させて、支柱への固定・解除を行うものである。
したがって、このフック装置の支柱への固定・解除（昇降）を、押しボタン操作によって容易に行うことができる。
【００２９】
特に、この考案のフック装置は、装置本体と、摺動部本体とボタンが一体化した構造又は摺動部本体とボタンが一体的に連結した構造を有する摺動部と、弾性部材と、から構成されるものであるので、その構造は極めて簡単であって、故障が少なく、部品点数が少なく済み、安価に提供することができる。
【００３０】
さらに、この考案のフック装置は、容易に分解可能なものとすることができるので、メンテナンスや修理を容易に行うことができる。
【図面の簡単な説明】
【００３１】
【図１】この考案のフック装置の一実施形態を示した斜視図である。
【図２】図１の縦断面図である。
【図３】図１および図２に示すフック装置において、ボタンを押圧操作した状態を示すものである。
【図４】この考案にかかるフック装置の一実施形態を示す分解斜視図である。
【図５】この考案にかかるフック装置の他の実施形態を示す分解斜視図である。
【図６】図５に示すフック装置の縦断面図であって、（ａ）は、ボタンを押圧操作していない状態を示し、（ｂ）は、ボタンを押圧操作した状態を示すものである。
【図７】この考案にかかるフック装置のさらに他の実施形態を示す分解斜視図である。
【図８】図７に示すフック装置の縦断面図であって、（ａ）は、ボタンを押圧操作していない状態を示し、（ｂ）は、ボタンを押圧操作した状態を示すものである。
【考案を実施するための形態】
【００３２】
以下、この考案のフック装置の実施の一形態を、添付の図面に基づいて具体的に説明する。
なお、この考案は図示したものに限定されず、この考案の要旨を変更しない範囲内において種々改良を加えることができるものである。
【００３３】
この考案のフック装置１は、浴室の壁面などに沿って配される垂直に配される支柱１５に沿って移動させることによって、所望の高さ位置に設定することができる。
【００３４】
前記フック装置１は、図２に示すように、中空の装置本体２と、この装置本体２内に装着される圧縮コイルばねからなる弾性部材６を備える摺動部材３とで構成される。
【００３５】
前記装置本体２は、図４に示すように、中空のケース本体２ａと、このケース本体２ａの一端部に設けられるヘッド係止部２ｂと、前記ケース本体２ａの全体をカバーするケースカバー２ｃとで構成されている。
【００３６】
前記ケース本体２ａは、前記装置本体２を、前記支柱１５に沿って上下動させるための貫通孔１３ａが上下方向に形成されるとともに、前記ケースカバー２ｃにも、前記貫通孔１３ａと相対する貫通孔１３ｂが形成されている。
なお、前記支柱１５については、その素材については特に制限はなく、ステンレス製パイプなどが好適に使用される。
【００３７】
前記ヘッド係止部２ｂには、シャワーヘッドを係止するための、開口部１４ａを有する円弧状の係止部１４が上下方向に形成されている。
【００３８】
図４に示すように、前記装置本体２の空間１０内には、摺動部材３が配設されている。
前記摺動部材３は、摺動部本体４と、この摺動部本体４と一体化された押しボタン５とから構成されている。
【００３９】
なお、この発明において摺動部材３は、図４に示した構成の他、図５に示すように、摺動部本体４と押しボタン５を一体的に連結させたものであってもよい。
この場合には、ケース本体２ａにケースカバー２ｃを装着した後に、摺動部本体４に押しボタン５を取り付けることが可能となるので、図６に示すように、押しボタン５を押した際に、この押しボタン５がケース本体内部に押し込まれることを防止でき、より安全性が高いものとなる。
【００４０】
さらに、図７に示すように、押しボタン５を、ケースカバー２ｃを介して横方向から差し込んで摺動部本体４に取り付けてもよい。
前記押しボタン５は、一対のアーム部５ａを有する。
このアーム部５ａが、ケースカバー２ｃの長手方向端部に形成されたガイド孔２０に挿入されると、その端部に設けられた凸状の突起部５ｂが、前記ガイド孔２０を貫通して摺動部本体４に設けられた凹状の係合部（図示せず）と係合し、押しボタン５は摺動部本体４と連結される。
【００４１】
これによって、前記摺動部本体４は、押しボタン５のガイド孔２０に沿った上下方向の移動に伴い摺動する。
なお、この場合には、図４および５に示したような、摺動部本体４と押しボタン５を一体化又は一体的に連結させた場合に懸念されていた、押しボタン５が突出する開口部１２から水などが侵入することによって水垢などが堆積し、動作不良が発生することが低減又は解消される。
【００４２】
前記摺動部本体４の内部には、図２に示すように、前記弾性部材６を収容するための収容空間１１が形成され、この収容空間１１内に前記弾性部材６が装着される。
【００４３】
前記弾性部材６は、前記鉛直な支柱１５の軸方向に対して、所定角度で傾いて配設されているものであって、前記摺動部材３は、この弾性部材６の伸縮に伴い支柱１５に沿って上下方向に摺動するものである。
【００４４】
前記弾性部材６は、前記支柱１５の上方から下方に向かって、支柱１５から離れるように所定の角度で傾斜配設されている。
具体的には、前記摺動部材３の背面は、上端から下端に向かって暫時幅が広がるよう傾斜させて摺動面８を形成している。
したがって、前記摺動部材３は、この弾性部材６の伸縮に伴って、前記支柱１５と密着又は離反し、前記支柱１５との間の摩擦力が、増加又は減少する方向に摺動する。
【００４５】
前記摺動部材３は、図４に示したように構成とすることができる。
すなわち、前記装置本体２の空間１０内に、前記摺動部本体４を所定の角度に保持することができる傾傾斜面９を有し、かつ前記弾性部材６の底部を保持することのできる保持部材Ｈを配置する。
【００４６】
なお、前記傾斜面９は、前記摺動部材３と同様に、前記支柱１５の上方から下方に向かって支柱１５から離れるように所定の角度に傾斜している。
したがって、前記摺動面８は、前記傾斜面９と常に接しているので、前記摺動部材３は、装置本体２の内部の傾斜面９に沿って摺動する。
【００４７】
なお、このような構成に代えて、図４に示したように、前記装置本体２の内部の空間１０の相対する側面に、ガイド部材１６を前記弾性部材６の配設角度で、又は傾斜面９と平行に付設するとともに、前記摺動部材３に、前記ガイド部材１６と摺動可能に嵌合されるガイド溝１７を前記弾性部材６の配設角度で、又は傾斜面９と平行に形成し、これにより摺動部材３が、ガイド溝１７に沿って摺動するように構成することもできる。
【００４８】
前記摺動部材３の支柱１５側、詳しくは、前記支柱１５に圧接する部分には、円弧状の圧接部材７が備えられ、前記弾性部材６の付勢力によって、常時前記支柱１５と密着している。
なお、前記圧接部材７については、前記支柱１５と密着する面を支柱１５の外形に対応したものとすることが好ましい。
【００４９】
前記圧接部材７は、弾性部材６によって支柱１５に圧接されて摩擦力を生じる材質の部材であればよい。
かかる圧接部材７としては、例えば、ゴムなどの弾性を有する樹脂材料からなるものが挙げられる。
【００５０】
前記圧接部材７の摺動部材３への固定は、接着、溶着、その他の手段により行うことができる。
例えば、図４に示したように、圧接部材７に形成した凹状の係合部１８と、摺動部材３に形成した凸状の突起部１９を係合させることによって固定することができる。
さらに、このような圧接部材７の配設に代えて、凹凸加工など、弾性部材によって支柱１５に密着して摩擦力を生じる手段を、摺動部本体及び／又は支柱に施してもよい。
【００５１】
前記弾性部材６は、一定量圧縮した状態で、前記支柱１５の軸方向に対して（前記支柱１５の上方から下方に向かって、支柱１５から離れるように）所定角度傾けて、前記収容空間１１に挿入されるものである。
【００５２】
この弾性部材６の下端部は、前記空間１０の底部に当接するもので、これによって、弾性部材６の付勢力が摺動部材３に作用する。
そのため、前記摺動部材３は、弾性部材６の付勢力によって装置本体２から離れる方向に付勢されるので、摺動部材３が備えるボタン５を装置本体２の開口部１２から突出した状態とするとともに、圧接部材７を支柱１５に密着した状態に保持することができる。
【００５３】
なお、かかる弾性部材６としては、板バネなどの圧縮コイルばね以外の各種ばね、又はゴムなどの弾性体或いは各種シリンダ装置なども用いることができる。
その際、弾性部材６の付勢力は、フック装置１の上方移動を困難にする程度のものであることが好ましい。
【００５４】
つぎに、この考案のフック装置１の作動について説明する。
図２において、前記フック装置１は何ら操作されておらず、通常の状態にある。
すなわち、通常の状態では、弾性部材６の付勢力が摺動部材３に伝達されるため、摺動部材３は、空間１０内の保持部材Ｈの傾斜面９に沿って装置本体２から離れる方向に付勢され、摺動部材３が備える圧接部材７は、支柱１５に密着した状態にある。
そのため、圧接部材７と支柱１５の間に摩擦力が発生する。
これによって、フック装置１は支柱１５の所定の位置にロック（固定）され、上下方向への移動が困難な状態となっている。
なお、前記押しボタン５は、図示のようにケース本体２ａから突出している。
【００５５】
一方、図３において、前記押しボタン５を押圧操作し、前記弾性部材６の付勢力に抗して摺動部材３を装置本体２内に押し込むと、前記摺動部材３が、前記空間１０内の前記傾斜面９に沿って下方向に摺動し、これにより摺動部材３が備える圧接部材７が支柱１５からわずかに離れることとなる。
したがって、前記圧接部材７と支柱１５の間では、摩擦力が消失するか、あるいは極めて小さくなる。
このような状態では、圧接部材７によるロック状態が解除されるため、上下いずれの方向に対してもフック装置１を軽い力で移動させることができる。
【００５６】
かくして、前記フック装置１の高さ調整を、容易に行うことができる。
なお、前記押しボタン５への押圧操作を解除すると、前記したように弾性部材６の付勢力によって、圧接部材７と支柱１５との間に摩擦力が発生するため、フック装置１は、その所定の位置に固定されることとなる。
【００５７】
この考案のフック装置１は、図４〜６に示すように、主として装置本体２、摺動部材３、弾性部材６、圧接部材７で構成され、装置本体２は、係止部２ｂ、ケース本体２ａ及びケースカバー２ｃで構成されるものとすることができる。
したがって、部品点数が少なく、構造も簡単である。
【００５８】
前記摺動部材３（詳しくは、その収容空間１１）に弾性部材６を挿入するとともに、圧接部材７を装着し、これをケース本体２ａ内に配置し、ケースカバー２ｃを装着させた後、あるいは前記摺動部本体４（詳しくは、その収容空間１１）に弾性部材６を挿入するとともに、圧接部材７と一体化させたのち、これをケース本体２ａ内に配置し、ケースカバー２ｃを装着させ、押しボタン５を取り付けた後、係止部２ｂと結合し、締結部材などを用いて締結することによって、フック装置１を容易に組み立てることができる。
一方、前記締結部材を外すことによって、フック装置１を分解することができるので、フック装置１のメンテナンスや修理を容易に行うことができる。
【００５９】
この実施例においては、前記押しボタン５を摺動部本体４の上部に設けるとともに、弾性部材６の配設（例えば摺動面８及び傾斜面９の傾斜方向）を、上方から下方に向かって支柱１５から離れるようにした形態について記載したが、これとは逆に、押しボタン５を摺動部本体４の下部に設けるとともに、弾性部材６の配設（例えば摺動面８及び傾斜面９の傾斜方向）を、下方から上方に向かって支柱１５から離れるようにしても、この考案の効果が得られるので、このような形態も、この考案に包含される。
【００６０】
この考案のフック装置は、シャワー装置のシャワーヘッドだけでなく、他の装置の支柱部分などの被係止物ないし被係止部を係止するために使用することができる。
【産業上の利用可能性】
【００６１】
この考案は、シャワー装置のシャワーヘッドなどを支持するためのフック装置に関するもので、簡単な操作で、支柱などの相手部材へのロック・解除（昇降）を確実に行うことができ、さらには構造が複雑でなく、部品点数が少なく済むので、シャワー装置のシャワーヘッドなどを支持するためのフック装置として、幅広く利用されるものである。
【符号の説明】
【００６２】
１          フック装置
２          装置本体
３          摺動部材
４          摺動部本体
５          押しボタン
５ａ        アーム部
５ｂ        凸状の突起部
６          弾性部材
７          圧接部材
８          摺動面
９          傾斜面
１０          空間
１１          収容空間
１２          開口部
１３          貫通孔
１４          係止部
１５          支柱
１６          ガイド部材
１７          ガイド溝
１８          係合部
１９          突起部
２０          ガイド孔
Ｈ          保持部材
【図１】
0003191956.tif 000003
【図２】
0003191956.tif 000004
【図３】
0003191956.tif 000005
【図４】
0003191956.tif 000006
【図５】
0003191956.tif 000007
【図６】
0003191956.tif 000008
【図７】
0003191956.tif 000009
【図８】
0003191956.tif 000010
【手続補正書】
【提出日】平成26年5月19日(2014.5.19)
【手続補正１】
【補正対象書類名】実用新案登録請求の範囲
【補正対象項目名】全文
【補正方法】変更
【補正の内容】
【実用新案登録請求の範囲】
【請求項１】
被係止物を脱着可能に係着する係止部および支柱を貫通させる貫通孔を有する中空の装置本体と、前記装置本体内に前記支柱の軸方向に対して所定の角度で傾斜させて配設される弾性部材と、前記弾性部材の伸縮に伴い摺動する摺動部材とを備え、
前記摺動部材は、
内蔵する前記弾性部材の付勢力によって、その頂部が常時装置本体上に突出して押しボタンを形成するか、又はその頂部と一体的に連結した押しボタンが常時装置本体上に突出するよう構成されるか、あるいは
内蔵する前記弾性部材の付勢力によって、常時装置本体内の上部に位置し、装置本体の長手方向端部から差し込まれた押しボタンと連結される
とともに、前記支柱との間の摩擦力が増大する方向に摺動し、
前記押しボタンを所定の方向に押圧することによって、前記摺動部材が前記支柱から離れて、前記支柱との間の摩擦力が減少するか、又はなくなる方向に摺動するよう構成されていること
を特徴とするフック装置。
【請求項２】
前記摺動部材は、
前記装置本体内に、前記弾性部材の傾斜角度と同じ角度で傾斜させた傾斜面と、前記支柱との間に設けられていること
を特徴とする請求項１に記載のフック装置。
【請求項３】
前記装置本体は、
相対する側壁面に、前記弾性部材の傾斜角度と同じ角度で係止片が付設され、前記摺動部材には、前記係止片と係合するガイド溝が形成され、このガイド溝に沿って前記摺動部材がスライドするよう構成されていること
を特徴とする請求項１又は２に記載のフック装置。
【請求項４】
前記摺動部材及び／又は支柱は、
前記弾性部材によって、前記摺動部材が前記支柱に圧接されて摩擦力を生じる手段を備えること
を特徴とする請求項１〜３のいずれかに記載のフック装置。
【請求項５】
前記摺動部材は、
前記支柱に圧接する部分において、圧接部材を備えること
を特徴とする請求項１〜３のいずれかに記載のフック装置。
【請求項６】
前記弾性部材は、
圧縮コイルばねであること
を特徴とする請求項１〜５のいずれかに記載のフック装置
【請求項７】
前記被係止物は、
シャワー装置のシャワーヘッドであること
を特徴とする請求項１〜６のいずれかに記載のフック装置。
【手続補正２】
【補正対象書類名】明細書
【補正対象項目名】００２４
【補正方法】変更
【補正の内容】
【００２４】
この考案の請求項４に記載の考案は、
請求項１〜３のいずれかに記載のフック装置において、
前記摺動部材及び／又は支柱は、
前記弾性部材によって、前記摺動部材が前記支柱に圧接されて摩擦力を生じる手段を備えること
を特徴とするものである。
【手続補正３】
【補正対象書類名】明細書
【補正対象項目名】００２５
【補正方法】変更
【補正の内容】
【００２５】
この考案の請求項５に記載の考案は、
請求項１〜３のいずれかに記載のフック装置において、
前記摺動部材は、
前記支柱に圧接する部分において、圧接部材を備えること
を特徴とするものである。